(57)【要約】【課題】便利に、かつ周囲の物に影響を及ぼさずに、ディスプレイの角度を左右及び上下に調整すること。【解決手段】台座部と、台座部に固設された位置決め部と、位置決め部の中に穿設された昇降装置と、昇降装置の最上端に固設された連結台とを含む。該台座部は、台座、枢動台、台座と枢動台との間に設けられた複数のボール、及び台座と枢動台との間に穿設された下ピボット装置を含む。【選択図】図１
0003139696.tif 000002
【実用新案登録請求の範囲】
【請求項１】
台座部と、位置決め部と、昇降装置と、連結台とを含み、
前記台座部は、台座と、枢動台と、複数のボールと、下ピボット装置とを含み、前記台座は、通し穴が貫通して設けてあり、かつ１つの側面上において、前記通し穴を囲み、内側に窪んでリング溝が成形してあり、前記枢動台は、台座のリング溝が成形してある側の前記側面上に枢設され、その枢動台の台座に面する底面には、それぞれ台座の通し穴に対応する位置に、断面を円形以外とする軸穴が成形してあり、台座のリング溝に合わせた位置に、内側に窪んで複数のボール溝が成形してあり、前記ボールは、枢動台のボール溝と台座のリング溝との間にそれぞれ設けられ、前記下ピボット装置は、台座の通し穴及び枢動台の軸穴の中に穿設され、
前記位置決め部は、中空管体に成形され、枢動台に固設され、
前記昇降装置は、軸方向に移動可能に位置決め部の中に設けられ、
前記連結台は、昇降装置の最上端に固設される、
枢動可能な昇降式ディスプレイ用スタンド。
【請求項２】
前記台座部の下ピボット装置は、枢軸と、複数のワッシャーと、止め具とを含み、前記枢軸は台座の通し穴及び枢動台の軸穴に穿設され、前記ワッシャーは枢軸上に覆設され、かつそれぞれ台座及び枢動台の両側に位置し、前記止め具は枢軸の端部に固設される請求項１に記載の枢動可能な昇降式ディスプレイ用スタンド。
【請求項３】
前記台座上の通し穴とリング溝との間に、少なくとも１つの弧形のガイド穴がさらに貫通して設けてあり、前記枢動台の底面に、台座のガイド穴の位置に合わせ、その中を移動可能なガイドが突出している請求項１に記載の枢動可能な昇降式ディスプレイ用スタンド。
【請求項４】
前記台座上の通し穴とリング溝との間に、少なくとも１つの弧形のガイド穴がさらに貫通して設けてあり、前記枢動台の底面に、台座のガイド穴の位置に合わせ、その中を移動可能なガイドが突出している請求項２に記載の枢動可能な昇降式ディスプレイ用スタンド。
【請求項５】
前記台座に、通し穴の脇に位置する少なくとも１つのフック穴がさらに貫通してあり、前記下ピボット装置の台座の両側に設けられたワッシャーは、台座のフック穴の数及び位置にさらに合わせ、それぞれその周縁に少なくとも１つのフックが成形してあり、前記フックを台座のフック穴に穿設することにより、２つの対応する側面上に位置するワッシャーを相互にはめ合わせて固定できるようにする請求項４に記載の枢動可能な昇降式ディスプレイ用スタンド。
【請求項６】
前記枢動台の台座に面していない最上面の軸方向に、固定台が突出しており、前記固定台は内側に窪んで収納スペースが形成してあり、前記位置決め部が前記枢動台の固定台の形状に合わせ成形され、相互に覆設して固定される請求項１から５のいずれかに記載の枢動可能な昇降式ディスプレイ用スタンド。
【請求項７】
前記位置決め部は、その１つの側面に軸方向にガイド溝が貫通して成形してあり、このうちの１つの内側面に少なくとも１つのキャッチが設けてあり、前記昇降装置は、位置決め部のガイド溝に面する側の側面に、前記ガイド溝内に対応して挿置可能なガイドが突出しており、ロールスプリングをさらに含み、前記ロールスプリングは昇降装置の底面に設けられ、その外辺でカプラーのキャッチに掛着される請求項６に記載の枢動可能な昇降式ディスプレイ用スタンド。
【請求項８】
前記枢動台の固定台は、その片側にスリットが成形してあり、前記位置決め部のガイド溝と前記スリットとがつながっている請求項７に記載の枢動可能な昇降式ディスプレイ用スタンド。
【請求項９】
前記位置決め部は、固定ブッシングと、カプラーとを含み、前記固定ブッシングは、枢動台の固定台の形状に合わせ中空管体に形成され、固定台と相互に覆設して固定され、前記ガイド溝が前記固定ブッシングの１つの側面に成形され、前記カプラーは、固定ブッシングの最上端を包囲して固定され、その１つの側面に固定ブッシングのガイド溝に対応する縦溝が成形してあり、また、前記縦溝を横に跨いでストッパーピースが固設してあり、前記キャッチがカプラーの１つの内側面に設けられた請求項８に記載の枢動可能な昇降式ディスプレイ用スタンド。
【請求項１０】
前記昇降装置は、ストッパーブロックと、可動ブッシングとをさらに含み、前記ストッパーブロックは、移動可能に固定ブッシングの中に設けられ、前記昇降装置のガイドが前記ストッパーブロック上に成形され、前記ロールスプリングがストッパーブロックの底面に設けられ、前記可動ブッシングは、ストッパーブロックの最上面に固設され、かつ移動可能にカプラー及び固定ブッシングの中に穿設される請求項９に記載の枢動可能な昇降式ディスプレイ用スタンド。
【請求項１１】
前記昇降装置は、可動ブッシングの２つの向かい合う側面上にそれぞれ固設され、位置決め部と可動ブッシングの間に位置し、レールの位置決め部に面する側面上にリブがジグザグに形成してある２本のレールをさらに含む請求項１０に記載の枢動可能な昇降式ディスプレイ用スタンド。
【請求項１２】
前記連結台は、固定ブラケットと、上ピボット装置と、補助ブラケットとを含み、前記固定ブラケットは前記可動ブッシングの最上面に固設され、前記上ピボット装置は固定ブラケットの間に枢設され、前記補助ブラケットはその１つの側面に前記上ピボット装置が接続される請求項１１に記載の枢動可能な昇降式ディスプレイ用スタンド。
【考案の詳細な説明】
【技術分野】
【０００１】
本考案は、液晶ディスプレイを固定し、その軸方向に沿って移動及び回動し、ディスプレイの高さ及び角度を調整することができる、枢動可能な昇降式ディスプレイ用スタンドに関する。
【背景技術】
【０００２】
液晶ディスプレイは、その薄型化及び低電磁波などの長所により、従来のブラウン管ディスプレイにほぼ取って代わり、パーソナルコンピュータ及び家庭用視聴覚エンターテイメントの基本設備となっている。
通常の液晶ディスプレイの多くが支持柱に固設され、支持柱の最下部には台座が固設されており、これによって平面上に立てて設置する。
支持柱と液晶ディスプレイとの間は、ピボット装置で接続され、これによって、液晶ディスプレイとスタンドとの間の相対角度を調整し、快適な視野角を得ることができる。
【０００３】
さらに、高さを調整可能な支持柱を設計することにより、上下に枢動させて視野角を調整することができるだけでなく、垂直に上下に移動させ、使用者に快適な高さに液晶ディスプレイを調整できるようにしたものもある。
【０００４】
しかし、前記の従来技術のディスプレイ支持柱は、高さを上下に調整し、又は液晶ディスプレイをそれに対して上下に枢動させるだけでなく、使用上の要求に対応するためにディスプレイを左向き又は右向きのある角度に回動させる際には、使用者は、台座、支持柱、液晶ディスプレイを含むスタンド全体を一緒にある角度に回転させなければ目的を達成することはできない。
しかし、このディスプレイ全体を回動させる方法は、面倒なだけでなく、ディスプレイの周囲の空間が充分でない状況においては、台座を回動させるための空間的な余裕をもたせることは難しいため、従来技術のディスプレイ用スタンドは、さらに改善すべき課題を有する。
【考案の開示】
【考案が解決しようとする課題】
【０００５】
本考案の主な目的は、枢動可能な昇降式ディスプレイ用スタンドを提供し、この設計により、現在の昇降式ディスプレイ用スタンドの、高さ及び角度を上下にしか調整することができない欠点を解決することである。
【課題を解決するための手段】
【０００６】
前記の目的を達成するため、本考案の枢動可能な昇降式ディスプレイ用スタンドは、
台座、台座上に設けられた枢動台、台座と枢動台との間に設けられた複数のボール、及び台座と枢動台とに接続された下ピボット装置を備えた台座部と、
台座の枢動台と相互に覆設して固定し、かつ側面上に軸方向にガイド溝が貫通して成形してあり、このうち内側面に少なくとも１つのキャッチが設けてある位置決め部と、
ストッパーブロック、ロールスプリング、及び可動ブッシングを備え、該ストッパーブロックは、位置決め部内に移動可能に設けてあり、該ロールスプリングはストッパーブロックの底面に設けてあり、その外辺で位置決め部のキャッチ上に掛着され、該可動ブッシングは、位置決め部内に穿設され、かつストッパーブロック最上面に固設される昇降装置と、
可動ブッシング上に固設された固定ブラケット、及び固定ブラケット間に設けてある上ピボット装置を備えた連結台と、を含む。
【考案の効果】
【０００７】
本考案の長所は、上ピボット装置を介しディスプレイを上下に枢動して視野角を調整することができ、昇降装置を介し液晶ディスプレイの高さを調整することができるだけでなく、さらに該下ピボット装置を介し、枢動台、並びにその上に設けてある位置決め部、昇降装置、連結台、及び液晶ディスプレイを、一緒に台座に対して枢動させ、便利に、かつ周囲の物に影響を及ぼさずに、ディスプレイの角度を左右及び上下に調整する目的を達成することができることである。
【考案を実施するための最良の形態】
【０００８】
図１のように、本考案の枢動可能な昇降式ディスプレイ用スタンドは、台座部（１０）と、位置決め部（２０）と、昇降装置（３０）と、連結台（４０）とを含む。
【０００９】
さらに、図３のように、台座部（１０）は、台座（１１）と、枢動台（１２）と、複数のボール（１３）と、下ピボット装置とを含む。
【００１０】
台座（１１）には、通し穴（１１１）と、通し穴（１１１）の脇に位置する少なくとも１つのフック穴（１１２）と、フック穴（１１２）の脇に位置する少なくとも１つの弧形のガイド穴（１１３）とが貫通して設けてあり、また、この台座（１１）の１つの側面上において、ガイド穴（１１３）を囲み、内側に窪んでリング溝（１１４）が成形してある。
【００１１】
枢動台（１２）は、台座（１１）のリング溝（１１４）が成形してある側の側面上に枢設され、枢動台（１２）の台座（１１）に面する底面には、それぞれ台座（１１）の通し穴（１１１）に対応する位置に、断面を円形以外とする軸穴（１２１）が成形してあり、台座（１１）のガイド穴（１１３）に合わせた位置にガイド（１２２）が突出し、台座（１１）のリング溝（１１４）に合わせた位置に、内側に窪んで複数のボール溝（１２３）が成形してあり、ガイド（１２２）が台座（１１）のガイド穴（１１３）の中を移動することにより、枢動台（１２）の台座（１１）における枢動可能な角度を制限する。
また、枢動台（１２）の台座（１１）に面していない最上面の軸方向に、固定台（１２４）が突出しており、固定台（１２４）は内側に窪んで収納スペースが形成してあり、かつ片側にスリット（１２５）が成形してある。
【００１２】
ボール（１３）は、枢動台（１２）のボール溝（１２３）と台座（１１）のリング溝（１１４）との間にそれぞれ設けられ、枢動台（１２）を台座（１１）においてスムーズに回動可能にする。
【００１３】
下ピボット装置は、台座（１１）の通し穴（１１１）及び枢動台（１２）の軸穴（１２１）の中に穿設し、かつ枢軸（１４１）と、複数のワッシャー（１４２ａ、１４２ｂ）と、止め具（１４３）とを含み、枢軸（１４１）は台座（１１）の通し穴（１１１）及び枢動台（１２）の軸穴（１２１）に穿設し、ワッシャー（１４２ａ、１４２ｂ）は枢軸（１４１）上に覆設し、かつそれぞれ台座（１１）及び枢動台（１２）の両側に位置する。
台座（１１）の両側に設けられたワッシャー（１４２ｂ）は、台座（１１）のフック穴（１１２）の数及び位置にさらに合わせ、それぞれその周縁に少なくとも１つのフック（１４４）が成形してあり、フック（１４４）を台座（１１）のフック穴（１１２）に穿設することにより、２つの対応する側面上に位置するワッシャー（１４２ｂ）を相互にはめ合わせて固定できるようにする。
止め具（１４３）は、枢軸（１４１）の端部に固設され、台座（１１）と、枢動台（１２）と、ワッシャー（１４２ａ、１４２ｂ）とを緊密に挟持して固定することができる。
【００１４】
図２のように、位置決め部（２０）は、枢動台（１２）上に設けられ、かつ固定ブッシング（２１）とカプラー（２２）とを含む。固定ブッシング（２１）は、枢動台（１２）の固定台（１２４）の形状に合わせ中空管体に成形され、その１つの側面に軸方向にガイド溝（２１１）が貫通して成形してあり、この固定ブッシング（２１）と枢動台（１２）の固定台（１２４）とを相互に覆設して固定し、かつガイド溝（２１１）と固定台（１２４）のスリット（１２５）とをつなげる。
カプラー（２２）は、固定ブッシング（２１）の最上端を包囲して固定され、その１つの側面に固定ブッシング（２１）のガイド溝（２１１）に対応する縦溝（２２１）が成形してある。
また、カプラー（２２）上に縦溝（２２１）を横に跨いでストッパーピース（２２２）が固設してあり、カプラー（２２）の１つの内側面に少なくとも１つのキャッチ（２２３）が設けてある。
【００１５】
図４及び図５のように、昇降装置（３０）は、固定ブッシング（２１）の軸方向に沿って移動可能に位置決め部（２０）の中に設けることができ、かつストッパーブロック（３１）と、ロールスプリング（３２）と、可動ブッシング（３３）と、２本のレール（３４）とを含む。
ストッパーブロック（３１）は、移動可能に固定ブッシング（２１）の中に設けることができ、固定ブッシング（２１）のガイド溝（２１１）に面する側の側面に、ガイド溝（２１１）内に対応して挿置可能なガイド（３１１）が突出しており、ストッパーブロック（３１）をガイド溝（２１１）に沿って上下に移動させることができ、カプラー（２２）上のストッパーピース（２２２）及び枢動台（１２）の固定台（１２４）のスリット（１２５）に合わせて、このストッパーブロック（３１）の移動可能な範囲を制限することができる。
ロールスプリング（３２）は、ストッパーブロック（３１）の底面に設けてあり、その外辺でカプラー（２２）のキャッチ（２２３）上に掛着される。
可動ブッシング（３３）は、ストッパーブロック（３１）の最上面に固設され、かつ移動可能にカプラー（２２）及び固定ブッシング（２１）の中に穿設される。
レール（３４）は、可動ブッシング（３３）の２つの向かい合う側面上にそれぞれ固設され、位置決め部（２０）と可動ブッシング（３３）との間に位置し、レール（３４）は、位置決め部（２０）に面する側面上にリブがジグザグに形成してあり、レール（３４）と位置決め部（２０）との間に適切な摩擦力を提供する。
【００１６】
図６のように、連結台（４０）は昇降装置（３０）の最上端に固設され、かつ固定ブラケット（４１）と、上ピボット装置（４２）と、補助ブラケット（４３）とを含む。固定ブラケット（４１）は、可動ブッシング（３３）の最上面に固設され、昇降装置（３０）と一緒に上下に移動できるようにする。
上ピボット装置（４２）は、固定ブラケット（４１）の間に枢設される。
補助ブラケット（４３）は、その１つの側面に上ピボット装置（４２）が接続され、反対側の側面に液晶ディスプレイ（５０）が接続され、上ピボット装置（４２）を軸として液晶ディスプレイ（５０）を上下に枢動させ、その視野角を調整できるようにする。
また、下ピボット装置を軸として左右に枢動することもできる。
レール（３４）と位置決め部（２０）との間の摩擦力、液晶ディスプレイ（５０）の重量、及びロールスプリング（３２）の弾性回復力の相互の組み合わせによって、液晶ディスプレイ（５０）を任意の高さに固定することができる。
【図面の簡単な説明】
【００１７】
【図１】本考案の立体外観図である。
【図２】本考案の立体分解図である。
【図３】本考案の台座部の立体分解図である。
【図４】本考案の高い位置にあるときの側面断面図である。
【図５】本考案の低い位置にあるときの側面断面図である。
【図６】本考案の実施状態の概要図である。
【符号の説明】
【００１８】
１０      台座部
１１      台座
１１１    通し穴
１１２    フック穴
１１３    ガイド穴
１１４    リング溝
１２      枢動台
１２１    軸穴
１２２    ガイド
１２３    ボール溝
１２４    固定台
１２５    スリット
１３      ボール
１４１    枢軸
１４２ａ，１４２ｂ    ワッシャー
１４３    止め具
１４４    フック
２０      位置決め部
２１      固定ブッシング
２１１    ガイド溝
２２      カプラー
２２１    縦溝
２２２    ストッパーピース
２２３    キャッチ
３０      昇降装置
３１      ストッパーブロック
３１１    ガイド
３２      ロールスプリング
３３      可動ブッシング
３４      レール
４０      連結台
４１      固定ブラケット
４２      上ピボット装置
４３      補助ブラケット
５０      液晶ディスプレイ
【図１】
0003139696.tif 000003
【図２】
0003139696.tif 000004
【図３】
0003139696.tif 000005
【図４】
0003139696.tif 000006
【図５】
0003139696.tif 000007
【図６】
0003139696.tif 000008